(57)【要約】【課題】  鉄筋コンクリート構造の既存建物の解体工事において、コンクリート部材を解体する際に、建物から切り出された床版を安全かつ効率よく搬出する。【解決手段】  揚重機の吊りワイヤ８に吊持される本体部１１と、本体部１１の中心部材を挟んで対称をなしてそれぞれが根元位置の軸受部の支持ボルト１４に回動可能に支持され、載置板２０上に床版等の支持対象部材を載置支持する一対のブラケット１３と、ブラケット１３が自重により支持ボルト１４回りに外側に回動し開いた状態から本体部１１の中心部材側に収納された状態までブラケット１３を回動させ、その収納状態を保持させるリンク状体１６、本体部１１の下端に位置しブラケット１３の開いた角度を規定するストッパ２２とを備えた。【選択図】  図１
2007320741.tif 000002
【特許請求の範囲】
【請求項１】
揚重機の吊りワイヤに吊持される本体部と、該本体部の中心部材を挟んで対称をなしてそれぞれが根元位置の軸受部の支持軸に回動可能に支持され、載置板上に支持対象部材を載置支持する一対のブラケットと、該ブラケットが自重により前記支持軸回りに外側に回動し開いた状態から前記本体部の中心部材側に収納された状態までブラケットを回動させ、その収納状態を保持させるブラケット位置保持部材、前記本体部の下端に位置し前記ブラケットの開いた角度を規定するストッパとを備えたことを特徴とする揚重用吊り具。
【請求項２】
前記ブラケット位置保持部材は、前記ブラケットを周囲から囲んで収納状態を保持するリング状体と、該リング状体を吊り上げ保持するワイヤとからなる請求項１記載の揚重用吊り具。
【請求項３】
前記載置板は、前記一対のブラケット上端にそれぞれ取り付けられ、前記一対のブラケットが前記支持軸回りに開いた状態で、水平載置面上に支持対象部材を載置可能な請求項１記載の揚重用吊り具。
【請求項４】
前記本体部は、支持対象部材に形成された開口に落とし込むことで、前記一対のブラケットが収納された状態となり、前記ブラケットが自重により開いた状態で前記載置板で前記コンクリート床版を下面側から支持する請求項１に記載の揚重用吊り具。
【発明の詳細な説明】
【技術分野】
【０００１】
本発明は揚重用吊り具に係り、鉄筋コンクリート構造の既存建物の解体工事において、コンクリート部材を解体する際に、建物から切り出された床版を搬出するための揚重用吊り具に関する。
【背景技術】
【０００２】
従来、たとえば鉄筋コンクリート構造建物等の解体工事では、ブレーカー等によりコンクリート部材を順次破砕していき、適当な大きさのコンクリート塊（ガラ）として塊状のまま産業廃棄物として排出していた。ところが、超高層建物の解体工事では、構造形式にかかわらず、建物の各部を構成するコンクリート部材を小さく破砕せずに、床版、梁、柱、壁等の各部材ごとに構造体の安定を考慮しながら、所定の寸法の塊状あるいは板状に切り出して、それらを揚重機等により地上に設けられた作業スペースまで吊りおろして搬出し、その地上作業スペースでブロック状のコンクリート塊（ガラ）状に破砕する部材解体作業が行われるようになってきている。
【０００３】
このとき、床版コンクリートは、面状の部材として梁に囲まれた四辺が公知のソーイングマシン、コンクリートカッタ等で切り出され、玉掛ワイヤを部材の回りに直接掛け渡して揚重したり、床版吊り上げにバランスの良い位置にアンカーボルトを打ち込み、吊り点となる吊りフックを取り付けて、吊りフックを介して吊り出することも行われている。
【０００４】
しかし、吊りワイヤを部材に掛け渡すには、床版の上下に作業員が入る作業が必要であり、その作業も高所作業となる場合もある。一方、アンカーボルトを打設し、吊りフックを取り付ける工法では、アンカー打設作業のための付加工程が生じる。
【０００５】
そこで、アンカー打設等の付加的な作業を無くし、玉掛用具を用いてコンクリート版を揚重する方法が提案されている（特許文献１）。この方法では、床版コンクリートに形成された貫通孔に挿入される、棒状本体と、棒状本体の下端のピンに回転自在に軸支された支持バーを持つ玉掛用具が用いられている。床版コンクリートを吊り上げる際に、棒状本体の下端のピン回りに支持バーを水平にして床版コンクリートの底面に係止させることで、床版コンクリートの荷重を支持バーで負担するようになっている。
【０００６】
【特許文献１】特開平１１−１１６１８０号公報参照。
【発明の開示】
【発明が解決しようとする課題】
【０００７】
ところで、特許文献１に開示されたコンクリート構築物の解体の際にコンクリート版の揚重に採用される玉掛用具は、支持バーがピンで支持されて本体内に収容された状態から水平方向に回動させる構造からなるが、この支持バーは添付図面にあるように、細長い断面からなるため、コンクリート底面の支持面積が小さくなる上、挿通孔を開けるために破壊された個所の近傍を支持するので、玉掛け作業の作業上の安全性に問題がある。
【０００８】
また、作業を行う際の問題点として、支持バーを回動させるために、切り出されて不安定状態となっているコンクリート版の下に作業員が入って作業を行うという危険作業を伴うことがある。そこで、本発明の目的は上述した従来の技術が有する問題点を解消し、１回あたりの揚重できるコンクリート版の大きさを十分支持できる吊り支点として作用し、またアンカーボルトの取り付けのような付加工程が不要で、かつ上述したような一連の解体、搬出作業がタクトエ程で行えるような揚重用吊り具を提供することにある。
【課題を解決するための手段】
【０００９】
上記目的を達成するために、本発明は揚重機の吊りワイヤに吊持される本体部と、該本体部の中心部材を挟んで対称をなしてそれぞれが根元位置の軸受部の支持軸に回動可能に支持され、載置板上に支持対象部材を載置支持する一対のブラケットと、該ブラケットが自重により前記支持軸回りに外側に回動し開いた状態から前記本体部の中心部材側に収納された状態までブラケットを回動させ、その収納状態を保持させるブラケット位置保持部材と、前記本体部の下端に位置し前記ブラケットの開いた角度を規定するストッパとを備えたことを特徴とする。
【００１０】
前記ブラケット位置保持部材は、前記ブラケットを周囲から囲んで収納状態を保持するリング状体と、該リング状体を吊り上げ保持するワイヤとで構成することが好ましい。
【００１１】
前記載置板は、前記一対のブラケット上端にそれぞれ取り付けられ、前記一対のブラケットが前記支持軸回りに開いた状態で、水平載置面上に支持対象部材を載置することが好ましい。
【００１２】
前記本体部は、支持対象部材に形成された開口に落とし込むことで、前記一対のブラケットが収納された状態となり、前記ブラケットが自重により開いた状態で前記載置板で前記コンクリート床版を下面側から支持できるようにすることが好ましい。
【発明の効果】
【００１３】
本発明によれば、ブラケットは自重により自動的に開くので、切り出され不安定状態となっている床版の下に入って作業をすることもなく、また床版にアンカーボルト等を取り付ける作業も不要となり、解体作業の工程合理化が図れる。また建物の一部の部材を解体した床版の搬出を安全に行うことができ、吊り出し、搬出工程を計画通り行うことができてタクト工程化しやすく、その結果、超高層建物のように、解体部材数が膨大となる構造物を安全、かつ効率的に解体していくことができるという効果を奏する。
【発明を実施するための最良の形態】
【００１４】
以下、本発明の揚重用吊り具の実施するための最良の形態として、以下の実施例について添付図面を参照して説明する。
【実施例】
【００１５】
図１、図２の各図は本発明の揚重用吊り具の一部を構成するブラケットの支持状態（図１）および収納状態（図２）を示した模式構成図である。この揚重用吊り具１０は、図３各図，図４，図６各図に示したように、既存の鉄筋コンクリート建物１を、床版２、柱３、梁４、壁等の各部材ごとに、構造体の安定を考慮しながら所定の寸法のコンクリート版あるいはコンクリート塊状に切り出して、それらを図示しない揚重機等により地上に設けられた作業スペース５（図６（ｂ）参照）まで吊りおろして搬出し、その作業スペース５でブロック状のコンクリート塊（ガラ）状に破砕する建物解体作業に使用される。
【００１６】
図１に示した揚重用吊り具１０は、平面視したフランジ１１ａがほぼ正方形状となるような幅に切断加工され、フランジ１１ａの中心位置に吊り点部材９が取り付けられた細長Ｈ形鋼からなる本体部１１と、この本体部１１のウェブ１１ｂを挟んでそれぞれが根元部の支持部１２のボルト１４に回動可能に支持され、開閉して開状態で床版を下面側から支持するブラケット１３と、このブラケット１３の回動中心となるボルト１４を回転軸として支持するように、本体部１１の下側フランジ１１ｃとウェブ１１ｂ下との間に形成された軸受プレート１５と、ブラケット１３が自重で外側に開いた状態（図１（ａ））から本体部１１のフランジとウェブとに囲まれた空間に収容された状態（閉じた状態）までブラケット１３を回動させ、その閉じた状態を保持させるブラケット位置保持部材としての角形リング状体１６と、この角形リング状体１６を上方に引き上げるための収納ワイヤ１７と、ブラケット１３の開いた角度を規定するストッパ２２の各構成を有している。
【００１７】
上述の揚重用吊り具１０の構成のうち、ブラケット１３の上端には、図１，図２各図に示したように、ブラケット１３と側面視してＴ字形をなすように、載置板２０が取り付けられている。載置板２０はブラケット１３板が所定の開角で外側に開いた状態で水平面を形成するような角度で取り付けられている。ブラケット１３は厚さ１２mm程度の鋼板を台形に近い形に切り出したもので、ブラケット１３下部は本体部１１の下側フランジ１１ｃとウェブ１１ｂとにかけて溶接固定されたスチフナ状の軸受プレート１５の回転孔を支持軸とするボルト１４で回動可能に支持されている。本実施例では、ブラケット１３が閉じた場合には、ブラケット１３は平面視して揚重用吊り具１０のフランジ１１ａで囲まれた範囲（１５０mm角)のフランジ幅内に収まる。一方、ブラケット１３は、ブラケット１３と載置板２０との合成重心より低い位置でボルト１４で支持され、自重で外方にブラケット１３が傾倒して開く構造になっており、載置板２０が水平になる開き角を限界となるようにストッパ金物２２が下側フランジ１１ｃの周縁に取り付けられている。
【００１８】
このように、ブラケット１３の開状態（図１（ａ））は下側フランジ上に設けられたストッパ金物２２で適宜設定されるようになっている。ストッパ金物２２の先端には所定の傾角のテーパ面２３が形成されており、そのテーパ面２３にボルト１４を中心に回動したブラケット１３の外側端面が当接し、この状態で載置板２０が水平をなして位置保持される。このストッパ金物２２の周囲には上述した角形リング状体１６と、この角形リング状体１６を上方に引き上げ、ブラケット１３が閉じた状態とする収納ワイヤ１７が連結されており、作業員は床版２の上面から手動でこの収納ワイヤ１７を引き上げ、所定位置に設けられた係止具等（図示せず）に係止させることで、ブラケット１３を図１の開いた状態から、支持軸（ボルト１４）回りに回動させ、図２の閉じた状態にし、その閉じた状態を保持することができる。
【００１９】
なお、吊り具として使用する際に、床版の概略重量や吊り点数等から上述の載置板が負担する荷重が算出できるので、吊り作業時に際し、各部材（本体部１１、ブラケット１３、ボルト１４、ストッパ金物２２等）において十分な強度が確保された部材サイズを有することが重要である。言い替えると、この揚重用吊り具１０は、耐荷重等のクラス分けをして複数サイズのものをあらかじめ用意し、吊り上げ対象となる床版重量にあったものを選択することが好ましい。
【００２０】
以下、図１，図２各図に示した揚重用吊り具１０を用いた床版吊り上げ作業について、図３，図４各図を参照して簡単に説明する。図３は、上階がすでに解体され、これから解体する階（解体階と記す。）の平面図で、図４は解体階と下階の鉄筋コンクリート柱部分を示した概略側面図である。
たとえば建物を上階から順次解体していく解体作業において、図３，図４に示したような解体階のコンクリート床版２の切り出しを行うには、図３（ａ）の平面図に破線で示したように、まず解体階の柱３の柱脚部３ａと柱間の下階梁を残すように、ワイヤソーマシン、ディスクカッタ等の公知のコンクリート切断装置で、解体階のコンクリート床版２を、鉄筋ごと下階の梁縁に沿って切断する。その際、全辺の切断が完了する前に床版の下側の所定位置に仮設仮受け部材（図示せず）を配置して、床版２の切り離し時に床版２の落下防止を図る。本実施例では、図３（ｂ）及び図４に示したように、四方が梁４で支持された矩形のコンクリート床版２を切り出す作業において、あらかじめコンクリート床版２の四隅に揚重用吊り具１０がセットされている。この揚重用吊り具１０の吊り点部材９は、所定長さの玉掛けワイヤ８を介して揚重機（図示せず）の吊りワイヤ７の吊りフック６に吊持（図４参照）され、揚重機の吊りワイヤ７の巻き取り動作により、コンクリート床版２を安全かつ容易に吊り上げることができる。
【００２１】
ここで、本発明の揚重用吊り具１０のコンクリート床版を支持する機構について、図５を参照して説明する。
図５（ａ）はすでに解体階のコンクリート床版の所定位置がカッタで梁部から切り離され、床版端部が数カ所の仮受け金物２５で仮支持された状態が示されている。そして揚重用吊り具１０を挿入する開口２ｂが床版２を貫通してコアカッターにより形成されている。この開口２ｂは、ブラケット１３が収納された状態の揚重用吊り具１０の外形寸法（本実施例では１５０mm×１５０mm）よりわずかに大きく、本実施例ではφ２２０mmの円形開口とされている。この開口２ｂに、図示しないクレーン等の揚重機の吊りフックに掛けられた玉掛けワイヤ８から吊持された揚重用吊り具１０を落とし込む。このときブラケット１３は開口の縁に沿って収納状態になり、開口通過後にブラケット１３は自重で、同図（ｂ）に示したように、載置板２０が水平になる角度まで開いた状態となる。その状態からクレーン等の揚重機によ吊りワイヤ７の巻き取りを行うと、各吊り点で揚重用吊り具１０の載置板２０がコンクリート床版２の下面に当接した状態となり、さらに吊りワイヤ７の巻回を行うことにより、床版２の吊り上げを行うことができる（同図（ｃ）参照）。
【００２２】
次いで、たとえば地上の床版仮置きスペース５（図６（ｂ）参照）までコンクリート床版２が吊り下ろされたたら、揚重用吊り具を少し落とし込み、収納ワイヤ１７を図５（ｄ）に示したように、引き上げてリング状体１６を持ち上げることにより、ブラケット１３がボルト１４回りに本体部１１のウェブ１１ｂ側に回動して閉じた状態となる（同図（ｅ）参照）。収納ワイヤ１７を図示しない係止部に保持させて揚重機の吊りワイヤ７を巻き取ることにより、揚重用吊り具１０を仮置きされたコンクリート床版２の開口２ｂから抜き取る（同図（ｆ）参照）。
【００２３】
鉄筋コンクリート建物において、上述した揚重用吊り具１０を用いて行う、解体階でのコンクリート床版、梁、柱の解体作業の手順について、図６を参照して説明する。
まず、図６（ａ）〜（ｃ）に示したように、あらかじめ柱脚部と柱間梁部を残して切り出されたコンクリート床版２を、本発明の揚重用吊り具１０を用いて吊り出し、地上あるいは中間作業階に設けられた仮置きスペース５、あるいはコンクリート破砕エリアに揚重機の操作により、解体階から吊り下ろす。解体階のすべてのコンクリート床版２を切り出して、搬出した後に、下階の各柱間に架設された梁４を柱３から切り取り、解体階から吊り出して仮置きスペース５あるいはコンクリート破砕エリア（図示せず）に搬出する（同図（ｄ））。そして独立して起立している各柱３を仮受け支持して柱脚部で切断し、解体階から吊り出す（同図（ｅ），（ｆ））。これまでの作業を行うことにより、同図（ａ）に戻った状態で、下階を次工程のコンクリート床版の解体階として、上述の解体作業を繰り返し行えばよい。
【図面の簡単な説明】
【００２４】
【図１】本発明の揚重用吊り具の一実施例の動作状態（ブラケット開状態）を示した説明図。
【図２】図１に示した揚重用吊り具の他の動作状態（ブラケット閉（収納）状態））を示した説明図。
【図３】解体階のコンクリート床版の切り出し状態を模式的に示した床平面図。
【図４】図３（ｂ）に示した床版の吊り出し状態を模式的に示した正面図。
【図５】本発明の揚重用吊り具のブラケットの動作状態を説明した作業順序図。
【図６】揚重用吊り具を用いた、既存鉄筋コンクリート建物の解体階におけるコンクリート床版、梁、柱の解体手順を模式的に示した作業順序図。
【符号の説明】
【００２５】
１  建物
２  床版
３  柱
４  梁
８  玉掛けワイヤ
９  吊り点部材
１０  揚重用吊り具
１１  本体部
１３  ブラケット
１４  ボルト
１６  リング状体
１７  収納ワイヤ
２０  載置板
２２  ストッパ
【図１】
2007320741.tif 000003
【図２】
2007320741.tif 000004
【図３】
2007320741.tif 000005
【図４】
2007320741.tif 000006
【図５】
2007320741.tif 000007
【図６】
2007320741.tif 000008